(57)【特許請求の範囲】
【請求項１】
複数のバーナと、その複数のバーナの燃焼を制御する制御手段とが設けられている燃焼装置であって、
前記複数のバーナのそれぞれが、全一次予混合型のバーナで構成され、
前記複数のバーナのそれぞれに燃焼用空気を各別の通風路を通して通風するファンが前記バーナに対応して設けられ、
前記制御手段が、前記バーナの燃焼において要求される燃焼量に応じた通風量になるように前記複数のファンのそれぞれを各別に制御するように構成され、
前記複数のバーナに燃料を供給する燃料供給路が、単一路とその単一路から分岐して前記通風路のそれぞれに接続されている分岐路とから構成され、
前記単一路に前記複数のファンそれぞれの通風作用により発生する圧力が作用するように設置されて、前記複数のファンの通風作用により発生する圧力の合計値に基づいて前記複数のバーナそれぞれへの燃料供給量を調整する燃料調整弁が設けられている燃焼装置。
【請求項２】
前記分岐路のそれぞれが、前記複数のファンの通風作用により吸引力が作用するように前記通風路における前記ファンの上流側箇所に接続され、
前記燃料調整弁が、その設置箇所よりも下流側の燃料供給圧力を大気圧に維持するゼロガバナで構成されている請求項１に記載の燃焼装置。
【請求項３】
前記分岐路のそれぞれに、前記バーナの燃焼能力に対応した燃料の通過抵抗を与えるオリフィス部が設けられている請求項１または２に記載の燃焼装置。
【請求項４】
前記通風路における前記ファンの下流側箇所にオリフィス部が設けられるとともに、前記通風路における前記オリフィス部の下流側箇所に前記ファンによる通風量が大きくなるほど負圧が大きくなるように負圧部が設けられ、
前記燃料調整弁が、前記複数のファンの通風作用により前記オリフィス部の上流側で発生する圧力により作動するように前記通風路における前記オリフィス部の上流側箇所に接続され、
前記分岐路のそれぞれが、前記負圧部に接続されている請求項１に記載の燃焼装置。
【発明の詳細な説明】
【０００１】
【発明の属する技術分野】
本発明は、複数のバーナと、その複数のバーナの燃焼を制御する制御手段とが設けられている燃焼装置に関する。
【０００２】
【従来の技術】
上記のような燃焼装置は、燃料供給路が、単一路とその単一路から分岐して複数のバーナそれぞれに燃料を供給する分岐路とから構成され、複数の分岐路のそれぞれにバーナへの燃料供給量を調整する電磁式の燃料調整弁が設けられ、複数のバーナに通風路を通して燃焼用空気を供給するファンが設けられ、ファンの回転数を制御するとともに、燃料調整弁の開度を調整することによって、複数のバーナそれぞれの燃焼において要求される燃焼量になるようにしているものが知られている。
【０００３】
【発明が解決しようとする課題】
しかしながら、従来の燃焼装置では、燃料供給路における分岐路のそれぞれに電磁式の燃料調整弁が設けられているために、バーナの数に応じた数の燃料調整弁が必要となり、とくに、バーナの数が多いときに顕著で、多数の燃料調整弁が必要となってコストアップを招き、さらに、複数のバーナそれぞれの燃焼において要求される燃焼量を得るために、電磁式の燃料調整弁それぞれへの電流の供給量を調整する必要があり、複数のバーナそれぞれへの燃料供給量の調整操作が複雑になるという不利があった。
【０００４】
本発明は、かかる点に着目してなされたものであり、その目的は、燃料調整弁の数を減少させてコストの低減を図りながら、複数のバーナそれぞれへの燃料供給量を容易に調整することが可能となる燃焼装置を提供する点にある。
【０００５】
【課題を解決するための手段】
この目的を達成するために、請求項１に記載の発明によれば、複数のバーナと、その複数のバーナの燃焼を制御する制御手段とが設けられている燃焼装置において、
複数のバーナのそれぞれが、全一次予混合型のバーナで構成され、
複数のバーナのそれぞれに燃焼用空気を各別の通風路を通して通風するファンがバーナに対応して設けられ、
制御手段が、バーナの燃焼において要求される燃焼量に応じた通風量になるように複数のファンのそれぞれを各別に制御するように構成され、
複数のバーナに燃料を供給する燃料供給路が、単一路とその単一路から分岐して通風路のそれぞれに接続されている分岐路とから構成され、
単一路に複数のファンそれぞれの通風作用により発生する圧力が作用するように設置されて、複数のファンの通風作用により発生する圧力の合計値に基づいて複数のバーナそれぞれへの燃料供給量を調整する燃料調整弁が設けられている。つまり、制御手段にてバーナの燃焼において要求される燃焼量に応じた通風量になるように複数のファンが各別に制御され、その複数のファンそれぞれの通風作用により発生する圧力が燃料調整弁に作用して、その複数のファンの通風作用により発生する圧力の合計値に基づいて燃料調整弁にて複数のバーナそれぞれへの燃料供給量が調整されて、複数のバーナそれぞれの燃焼において要求される燃焼量を得ることが可能となる。
したがって、燃料調整弁を単一路にひとつ設けるだけで、燃料調整弁の数を減少させてコストの低減を図ることができるとともに、複数のファンの通風作用により発生する圧力が燃料調整弁に作用して、その圧力の合計値に基づいて燃料調整弁にて複数のバーナそれぞれへの燃料供給量が調整されて、電磁式の燃料調整弁それぞれへの電流の供給量を調整する必要もなく、複数のバーナそれぞれへの燃料供給量を容易に調整することが可能となる。
【０００６】
請求項２に記載の発明によれば、分岐路のそれぞれが、複数のファンの通風作用により吸引力が作用するように通風路におけるファンの上流側箇所に接続され、
燃料調整弁が、その設置箇所よりも下流側の燃料供給圧力を大気圧に維持するゼロガバナで構成されている。
つまり、その設置箇所よりも下流側の燃料供給圧力を大気圧に維持するゼロガバナが設けられているので、ゼロガバナにてその設置箇所よりも下流側の燃料供給圧力を大気圧に維持して、バーナの燃焼において要求される燃焼量に対応する回転数にファンを制御することによって、大気圧とファンの作動により発生する負圧との差圧に応じてバーナへの燃料供給量が調整され、バーナの燃焼において要求される燃焼量に対応する燃料供給量を的確に得ることができ、バーナの燃焼状態を安定させることができる。
【０００７】
請求項３に記載の発明によれば、分岐路のそれぞれに、バーナの燃焼能力に対応した燃料の通過抵抗を与えるオリフィス部が設けられている。
つまり、バーナの燃焼能力に対応した燃料の通過抵抗を与えるオリフィス部を分岐路のそれぞれに設けることによって、使用箇所などにより複数のバーナそれぞれの燃焼能力が異なっている場合においても、オリフィス部にてバーナの燃焼能力に対応した燃料の通過抵抗を与えることができるので、バーナの燃焼において要求される燃焼量に対応する燃料供給量を適正に得ることが可能となる。
【０００８】
請求項４に記載の発明によれば、通風路におけるファンの下流側箇所にオリフィス部が設けられるとともに、通風路におけるオリフィス部の下流側箇所にファンによる通風量が大きくなるほど負圧が大きくなるように負圧部が設けられ、
燃料調整弁が、複数のファンの通風作用によりオリフィス部の上流側で発生する圧力により作動するように通風路におけるオリフィス部の上流側箇所に接続され、
分岐路のそれぞれが、負圧部に接続されている。
つまり、バーナの燃焼において要求される燃焼量に応じてファンの回転数を各別に制御し、そのファンの通風作用によりオリフィス部の上流側で発生する圧力により燃料調整弁が作動するとともに、ファンによる通風量が大きくなるほど負圧部における負圧が大きくなるので、ファンの回転数が増加して通風量が大きくなるほど負圧部における負圧が大きくなって、その負圧に応じてバーナへの燃料供給量が調整され、バーナの燃焼において要求される燃焼量に対応する燃料供給量を的確に得ることができ、バーナの燃焼状態を安定させることができる。
【０００９】
【発明の実施の形態】
本発明にかかる燃焼装置を給湯装置に適応した例を図面に基づいて説明する。この給湯装置は、供給される水を加熱して図外の出湯栓に給湯する給湯部Ｋ、浴槽Ｃ内の湯水を循環させながら追焚き加熱する風呂追焚部Ｆ、給湯部Ｋおよび風呂追焚部Ｆの動作を制御する制御手段としての制御部Ｈ、この制御部Ｈに動作情報を指令するリモコン操作部Ｒなどを備えて構成されている。
【００１０】
前記給湯部Ｋは、燃焼室１内に設けられた水加熱用の給湯用熱交換器２、この給湯用熱交換器２を加熱するガス燃焼式の全一次予混合型の給湯用バーナ３などから構成され、この給湯用バーナ３の上流側から燃焼用空気を給湯用通風路７を通して通風し、かつ、その通風に伴って、供給される燃料ガスを燃焼用空気と混合して供給する給湯用ファン４も設けられている。
そして、給湯用熱交換器２には、例えば家庭用の水道などから水が供給される入水路５、加熱後の湯水を出湯する出湯路６がそれぞれ接続され、前記入水路５には、給湯用熱交換器２への通水量を検出する通水量センサ８、入水路５を通して供給される水の温度を検出する入水温サーミスタ９が設けられている。
前記出湯路６には、図外の出湯栓から出湯される湯水の温度を検出する出湯温サーミスタ１０が設けられている。
【００１１】
前記風呂追焚部Ｆは、燃焼室１１内に設けられた追焚き用熱交換器１２、この追焚き用熱交換器１２を加熱するガス燃焼式の全一次予混合型の追焚き用バーナ１３などから構成され、この追焚き用バーナ１３の上流側から燃焼用空気を追焚き用通風路１５を通して通風し、かつ、その通風に伴って、供給される燃料ガスを燃焼用空気と混合して供給する追焚き用ファン１４も設けられている。
【００１２】
そして、追焚き用熱交換器１２には、浴槽Ｃ内の湯水を追焚き用熱交換器１２に供給する風呂戻り路１６と、追焚き用熱交換器１２にて追焚きされた湯水を浴槽Ｃ内に供給する風呂往き路１７とが接続されている。
前記風呂戻り路１６には、浴槽Ｃ内の湯水を循環するための循環ポンプ１８と、追焚き用熱交換器１２に供給される湯水の温度を検出する戻りサーミスタ１９とが設けられ、前記風呂往き路１７には、追焚き用熱交換器１２にて追焚きされて浴槽Ｃ内に供給される湯水の温度を検出する往きサーミスタ２０が設けられている。
【００１３】
前記給湯用バーナ３と追焚き用バーナ１３のそれぞれに燃料ガスを供給する燃料供給路２１は、単一路２２とその単一路２２から分岐する分岐路２３とから構成されている。
そして、前記分岐路２３のうち給湯用分岐路２３ａが、給湯用ファン４の通風作用により吸引力が作用するように給湯用通風路７における給湯用ファン４の上流側箇所に接続され、前記分岐路２３のうち追焚き用分岐路２３ｂが、追焚き用ファン１４の通風作用により吸引力が作用するように追焚き用通風路１５における追焚き用ファン１４の上流側箇所に接続されている。
また、前記単一路２２には、燃料供給方向の上流側から、燃料供給を断続する電磁操作式の安全弁２４およびメイン弁２５、その設置箇所よりも下流側の燃料供給圧力を大気圧に維持する圧力調整手段としてのゼロガバナ２６が設けられている。
【００１４】
そして、ゼロガバナ２６は、単一路２２に給湯用ファン４および追焚き用ファン１４それぞれの通風作用による吸引力が作用するように設置されて、給湯用ファン４および追焚き用ファン１４それぞれの通風作用による吸引力の合計値に基づいて給湯用バーナ３および追焚き用バーナ１３への燃料供給量を調整するように構成されている。
つまり、ゼロガバナ２６にてその設置箇所よりも下流側の燃料供給圧力が大気圧に維持され、その大気圧に維持されている燃料ガスに対して給湯用ファン４の通風作用による吸引力および追焚き用ファン１４の通風作用による吸引力が作用して、給湯用ファン４および追焚き用ファン１４の回転数が増加するほど給湯用バーナ３および追焚き用バーナ１３それぞれへの燃料供給量が増加するように構成されている。
【００１５】
前記ゼロガバナ２６について説明を加えると、図２に示すように、ガス通路の開度を調整する弁体２６ａ、大気圧Ｐｔとゼロガバナ出口圧力Ｐ２の圧力差を受けるダイヤフラム２６ｂ、弁体２６ａおよびダイヤフラム２６ｂを支えるスプリング２６ｃ、スプリング２６ｃを調節する調節機構２６ｄなどから構成されている。
そして、例えば、ゼロガバナ入口圧力Ｐ１が上昇側に圧力変動したときには、その圧力変動に伴ってゼロガバナ出口圧力Ｐ２も上昇側に圧力変動するが、ゼロガバナ出口圧力Ｐ２の圧力変動に伴って、弁体２６ａが下方移動し、ゼロガバナ出口圧力Ｐ２を下降側に圧力変動させて、ゼロガバナ出口圧力Ｐ２が大気圧Ｐｔになるように調整する。
また、大気圧Ｐｔが上昇側に圧力変動したときには、その圧力変動に伴って弁体２６ａが上方移動し、ゼロガバナ出口圧力Ｐ２が上昇側に変動した大気圧Ｐｔになるように調整する。
このようにして、ゼロガバナ２６への一次燃料供給圧力Ｐ１や大気圧Ｐｔが変動した場合においても、ゼロガバナ出口圧力Ｐ２が大気圧Ｐｔになるように調整される。
【００１６】
また、分岐路２３のそれぞれには、バーナの燃焼能力に対応した燃料の通過抵抗を与えるオリフィス部２７が設けられている。つまり、給湯用通風路７に接続している分岐路２３には給湯用バーナ３の燃焼能力に対応した燃料の通過抵抗を与える給湯用オリフィス２７ａが設けられ、追焚き用通風路１５に接続している分岐路２３には追焚き用バーナ１３の燃焼能力に対応した燃料の通過抵抗を与える追焚き用オリフィス２７ｂが設けられている。
【００１７】
前記給湯用バーナ３の近くには、給湯用バーナ３に対する点火動作を実行する給湯用イグナイタ２８と、給湯用バーナ３が着火されているか否かを検出する給湯用フレームロッド２９とがそれぞれ備えられている。
前記追焚き用バーナ１３の近くには、追焚き用バーナ１３に対する点火動作を実行する追焚き用イグナイタ３０と、追焚き用バーナ１３が着火されているか否かを検出する追焚き用フレームロッド３１とがそれぞれ備えられている。
【００１８】
前記リモコン操作部Ｒは、給湯部Ｋおよび風呂追焚部Ｆの運転の開始・停止を指令する運転スイッチ３２、追焚き運転を指令する追焚きスイッチ３３、出湯用目標温度および追焚き目標温度を変更設定自在な温度設定スイッチ３４、出湯用目標温度や追焚き目標温度などを表示する表示部３５、運転状態であることを表示する運転ランプ３６、給湯用バーナ３および追焚き用バーナ１３のうちいずれか一方が燃焼状態であることを表示する燃焼ランプ３７などを備えて構成されている。
【００１９】
前記制御部Ｈは、マイクロコンピュータを備えて構成され、給湯用バーナ３および追焚き用バーナ１３の燃焼において要求される燃焼量に応じた通風量になるように給湯用ファン４および追焚き用ファン１４のそれぞれを各別に制御するように構成されている。
つまり、前記制御部Ｈは、出湯中にリモコン操作部Ｒの操作指令に基づいて出湯温度を出湯用目標温度にすべく、給湯用バーナ３の燃焼において要求される燃焼量に応じた通風量になるように給湯用ファン４を制御する給湯制御処理、リモコン操作部Ｒの操作指令に基づいて浴槽Ｃ内の温度を追焚き用目標温度にすべく、追焚き用バーナ１３の燃焼において要求される燃焼量に応じた通風量になるように追焚き用ファン１４を制御する追焚制御処理のそれぞれの処理を実行するように構成されている。
【００２０】
前記給湯制御処理は、給湯用熱交換器２への通水が開始されるに伴って給湯用バーナ３の燃焼を開始して、給湯用熱交換器２への通水が停止されるに伴って給湯用バーナ３の燃焼を停止させるように制御するとともに、給湯用熱交換器２への通水が検出されているときには、出湯温度が出湯用目標温度になるように給湯用ファン４の通風量を調整する処理を実行する。
【００２１】
具体的に説明すると、運転スイッチ３２のＯＮ操作に伴って運転状態に設定された後に、図外の出湯栓の開操作に伴って通水量センサ８にて検出される通水量が設定水量を超えると、給湯用ファン４による通風作動を開始し、かつ、安全弁２４およびメイン弁２５を開弁させて点火用ガス量になるように給湯用ファン４の回転数を調整するとともに、給湯用イグナイタ２８によって給湯用バーナ３の点火動作を行い、給湯用フレームロッド２９によって給湯用バーナ３の着火を確認する。
【００２２】
その後、入水温サーミスタ９、出湯温サーミスタ１０、通水量センサ８のそれぞれの検出情報、および、温度設定スイッチ３４にて設定されている出湯用目標温度の情報に基づいて、出湯温度を出湯用目標温度にするために必要なガス量になるように給湯用ファン４の通風量を調整するフィードフォワード制御を実行するとともに、出湯温サーミスタ１０の検出温度と出湯用目標温度との偏差に応じて給湯用ファン４の通風量を微調整するフィードバック制御を実行する。
このようにして、入水路５からの水は、熱交換器２によって加熱されて、図外の出湯栓から出湯用目標温度の湯水が出湯されることになる。
【００２３】
前記追焚制御処理は、リモコン操作部Ｒの追焚きスイッチ３３のＯＮ操作に伴って追焚き用バーナ１３の燃焼を開始して、浴槽Ｃ内の湯水の温度が追焚き目標温度になるに伴って追焚き用バーナ１３の燃焼を停止させる処理を実行する。
具体的に説明すると、追焚きスイッチ３３がＯＮ操作されると、循環ポンプ１８を駆動させて、浴槽Ｃ内の湯水を風呂戻り路１６および風呂往き路１７を介して循環させ、追焚き用ファン１４による通風作動を開始し、かつ、安全弁２４およびメイン弁２５を開弁させて点火用ガス量になるように追焚き用ファン１４の回転数を調整するとともに、追焚き用イグナイタ３０によって追焚き用バーナ１３の点火動作を行い、追焚き用フレームロッド３１によって追焚き用バーナ１３の着火を確認する。
【００２４】
その後、戻りサーミスタ１９や往きサーミスタ２０の検出情報、および、温度設定スイッチ３４にて設定されている追焚き用目標温度の情報に基づいて、浴槽Ｃ内の湯水の温度を追焚き用目標温度にするために必要なガス量になるように追焚き用ファン１４の通風量を調整して、浴槽Ｃ内の湯水を風呂戻り路１６と風呂往き路１７を介して循環しながら加熱する。
そして、戻りサーミスタ１９の検出温度が追焚き用目標温度になると、循環ポンプ１８の駆動を停止させ、追焚き用ファン１４の通風を停止させる。
【００２５】
このようにして、単一路２２に燃料調整弁としてのひとつのゼロガバナ２６を設置させて、給湯用バーナ３および追焚き用バーナ１３それぞれの燃焼において要求される燃焼量に応じた通風量になるように給湯用ファン４および追焚き用ファン１４を各別に制御することによって、大気圧とファンの作動により発生する負圧との差圧に応じてバーナへの燃料供給量が調整され、給湯用バーナ３および追焚き用バーナ１３それぞれの燃焼において要求される燃焼量に対応する燃料供給量を的確に得ることができるので、燃料調整弁の数を減少させてコストの低減を図りながら、複数の燃料調整弁それぞれを調整する必要もなく、複数のバーナそれぞれへの燃料供給量を容易に調整することが可能となる。
さらに、バーナの燃焼能力に対応した燃料の通過抵抗を与えるオリフィス部２７を分岐路２３のそれぞれに設けることによって、オリフィス部２７にて給湯用バーナ３および追焚き用バーナ１３それぞれの燃焼能力に対応した燃料の通過抵抗を与えることができるので、バーナの燃焼において要求される燃焼量に対応する燃料供給量を適正に得ることが可能となる。
【００２６】
〔別実施形態〕
（１）上記実施形態では、複数のファン４，１４の通風作用により発生する吸引力により作動するように燃料調整弁としてのゼロガバナ２６が設けられているが、この構成に代えて、以下の構成にしてもよい。
【００２７】
つまり、図３に示すように、給湯用通風路７および追焚き用通風路１５のそれぞれには、ファン４，１４の下流側箇所にオリフィス部３８が設けられるとともに、このオリフィス部３８の下流側箇所にファン４，１４による通風量が大きくなるほど負圧が大きくなるように負圧部３９が設けられている。
そして、燃料調整弁４０が、ファン４，１４の通風作用によりオリフィス部３８の上流側で発生する圧力により作動するようにオリフィス部３８の上流側箇所に接続され、燃料供給路２１における分岐路２３のそれぞれが、負圧部３９に接続されている。なお、上記実施形態と同様の構成については、上記実施形態と同じ符号を記すことによって、その詳細な説明を省略する。
【００２８】
具体的に説明すると、給湯用通風路７には、給湯用ファン４の下流側箇所に給湯用オリフィス３８ａが設けられるとともに、給湯用オリフィス３８ａの下流側箇所に給湯用ファン４による通風量が大きくなるほど負圧が大きくなるように給湯用負圧部３９ａが設けられている。
また、追焚き用通風路１５にも、追焚き用ファン１４の下流側箇所に追焚き用オリフィス３８ｂが設けられるとともに、追焚き用オリフィス３８ｂの下流側箇所に追焚き用ファン１４による通風量が大きくなるほど負圧が大きくなるように追焚き用負圧部３９ｂが設けられている。
【００２９】
そして、燃料調整弁４０における圧力連動路４１が、給湯用ファン４の通風作用により給湯用オリフィス部３８ａの上流側で発生する圧力と、追焚き用ファン１４の通風作用により追焚き用オリフィス３８ｂの上流側で発生する圧力とが燃料調整弁４０に作用するように、給湯用通風路７における給湯用オリフィス部３８ａの上流側箇所、および、追焚き用通風路１５における追焚き用オリフィス部３８ｂの上流側箇所に接続されている。
また、給湯用分岐路２３ａは、給湯用通風路７における給湯用負圧部３９ａに接続され、追焚き用分岐路２３ｂは、追焚き用通風路１５における追焚き用負圧部３９ｂに接続されている。
【００３０】
このようにして、給湯用バーナ３の燃焼において要求される燃焼量に応じて給湯用ファン４の回転数を制御するとともに、追焚き用バーナ１３の燃焼において要求される燃焼量に応じて追焚き用ファン１４の回転数を制御し、その両ファン４，１４の通風作用によりオリフィス部３８の上流側で発生する圧力により燃料調整弁４０が作動するとともに、両ファン４，１４による通風量が大きくなるほど負圧部３９における負圧が大きくなるので、両ファン４，１４の回転数が増加して通風量が大きくなるほど負圧部３９における負圧が大きくなって、その負圧に応じて給湯用バーナ３および追焚き用バーナ１３それぞれへの燃料供給量が調整される。
【００３１】
（２）上記実施形態では、分岐路２３のそれぞれに、給湯用バーナ３および追焚き用バーナ１３の燃焼能力に対応した燃料の通過抵抗を与えるオリフィス部２７が設けられているが、このオリフィス部２７を設けなくてもよい。
【００３２】
（３）上記実施形態では、２つの全一次予混合型のバーナが設けられているが、全一次予混合型のバーナを３つ以上設けるようにしてもよい。
【００３３】
（４）上記実施形態において、燃料供給路２１における分岐路２３のそれぞれに、燃料ガスの流動を断続する電磁式の断続弁を設けてもよい。
そして、給湯用バーナ３においてのみ燃焼されるときには、給湯用分岐路２３ａにおける断続弁を開弁し、かつ、追焚き用分岐路２３ｂにおける断続弁を閉弁して、逆に、追焚き用バーナ１３においてのみ燃焼されるときには、給湯用分岐路２３ａにおける断続弁を閉弁し、かつ、追焚き用分岐路２３ｂにおける断続弁を開弁する。
このようにして、燃焼供給路２１における分岐路２３のそれぞれに断続弁を設けることによって、一方のバーナでのみ燃焼が行われるときには、他方のバーナへ燃料ガスが供給されるのを確実に防止することができる。
【００３４】
（５）上記実施形態では、２つの全一次予混合型のバーナのうち、一方を給湯用バーナとして、他方を追焚き用バーナとしているが、複数のバーナを暖房用バーナとして用いるなどバーナによる加熱の目的は適宜変更が可能である。
【図面の簡単な説明】
【図１】給湯装置の概略構成図
【図２】ゼロガバナの概略構成図
【図３】別実施形態における給湯装置の概略構成図
【符号の説明】
３，１３        バーナ
４，１４        ファン
７，１５        通風路
２１            燃料供給路
２２            単一路
２３            分岐路
２６            燃料調整弁としてのゼロガバナ
２７            オリフィス部
３８            オリフィス部
３９            負圧部
４０            燃料調整弁
Ｈ              制御部
【図１】
0004067247.tif 000002
【図２】
0004067247.tif 000003
【図３】
0004067247.tif 000004